【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
少なくとも１つの受電装置に対して無線により電力を送電する送電装置であって、
前記少なくとも１つの受電装置のそれぞれが、受電によって得られる電圧を内部で下げる機能を有するかを判定する判定手段と、
前記少なくとも１つの受電装置の少なくともいずれかが前記機能を有しない場合、前記機能を有しない受電装置に過電圧が入力されないように、送電電力を制御する制御手段と、
を有することを特徴とする送電装置。
【請求項２】
少なくとも１つの受電装置に対して無線により電力を送電する送電装置であって、
前記少なくとも１つの受電装置の少なくともいずれかの受電装置から、当該受電装置に過電圧が入力されないように送電電力を制御することの要求を受信したかを判定する判定手段と、
前記要求を受信した場合、前記要求を送信した受電装置に過電圧が入力されないように、送電電力を制御する制御手段と、
を有することを特徴とする送電装置。
【請求項３】
前記制御手段は、
受電している電力の総量が変化した場合に、その変化の量が所定量より大きいかを検出する検出手段と、
前記総量の所定量より大きい変化が検出された場合、前記少なくとも１つの受電装置への送電を停止し、又は送電する電力を所定電力以下に抑えるように送電を制御する送電制御手段と、
送電が停止され、又は送電する電力が所定電力以下に抑えられた状態において、前記送電装置の送電可能範囲に存在し、当該送電装置から受電する受電装置と、その受電装置が受電する受電電力とを特定する特定手段と、
を有し、
前記送電制御手段は、さらに、前記特定の後に、特定された受電装置への、特定された受電電力の送電を再開する、
ことを特徴とする請求項１又は２に記載の送電装置。
【請求項４】
前記判定手段は、前記少なくとも１つの受電装置のそれぞれから受信した情報に基づいて、前記少なくとも１つの受電装置のそれぞれが前記機能を有するか否かを判定すること
を特徴とする請求項１に記載の送電装置。
【請求項５】
前記制御手段は、前記少なくとも１つの受電装置のうち全ての装置が前記機能を有していると前記判定手段により判定された場合と、前記少なくとも１つの受電装置のうち少なくとも１台の装置が前記機能を有していないと前記判定手段により判定された場合と、で異なる送電制御を行う
ことを特徴とする請求項１に記載の送電装置。
【請求項６】
前記制御手段は、前記少なくとも１つの受電装置のうち全ての装置が前記機能を有していると前記判定手段により判定された場合と、前記少なくとも１つの受電装置のうち少なくとも１台の装置が前記機能を有していないと前記判定手段により判定された場合と、で異なる送電制御を行う
ことを特徴とする請求項１に記載の送電装置。
【請求項７】
無線により、送電装置から電力を受電する受電装置であって、
前記送電装置が前記受電装置に過電圧が入力されないように送電電力を制御する機能を有するかを判定する判定手段と、
前記送電装置が前記機能を有さず、前記受電装置が受電によって得られる電圧を内部で下げる機能を有しない場合、エラーを通知する通知手段と、
を有することを特徴とする受電装置。
【請求項８】
無線により電力を送電する送電装置と、無線により前記送電装置から電力を受電する少なくとも１つの受電装置とを含む無線電力伝送システムであって、
前記送電装置は、
前記少なくとも１つの受電装置のそれぞれが、受電によって得られる電圧を内部で下げる機能を有するかを判定する判定手段と、
前記少なくとも１つの受電装置の少なくともいずれかが前記機能を有しない場合、前記機能を有しない受電装置に過電圧が入力されないように、送電電力を制御する制御手段と、
を有することを特徴とする無線電力伝送システム。
【請求項９】
無線により電力を送電する送電装置と、無線により前記送電装置から電力を受電する少なくとも１つの受電装置とを含む無線電力伝送システムであって、
前記少なくとも１つの受電装置の少なくともいずれかの受信装置は、
当該受電装置に過電圧が入力されないように送電電力を制御することの要求を、前記送電装置へ送信する送信手段を有し、
前記送電装置は、
前記要求を受信したかを判定する判定手段と、
前記要求を受信した場合、前記要求を送信した受電装置に過電圧が入力されないように、送電電力を制御する制御手段と、
を有することを特徴とする無線電力伝送システム。
【請求項１０】
無線により電力を送電する送電装置と、無線により前記送電装置から電力を受電する少なくとも１つの受電装置とを含む無線電力伝送システムであって、
前記送電装置は、
前記少なくとも１つの受電装置に過電圧が入力されないように送電電力を制御する機能を有するかを指し示す情報を、前記少なくとも１つの受電装置へ送信する送信手段を有し、
前記少なくとも１つの受電装置は、
前記送電装置が前記機能を有しないことを前記情報が指し示しており、前記受電装置が受電によって得られる電圧を内部で下げる機能を有しない場合、エラーを通知する通知手段を有することを特徴とする無線電力伝送システム。
【請求項１１】
少なくとも１つの受電装置に対して無線により電力を送電する送電装置の制御方法であって、
判定手段が、前記少なくとも１つの受電装置のそれぞれが、受電によって得られる電圧を内部で下げる機能を有するかを判定する判定工程と、
制御手段が、前記少なくとも１つの受電装置の少なくともいずれかが前記機能を有しない場合、前記機能を有しない受電装置に過電圧が入力されないように、送電電力を制御する制御工程と、
を有することを特徴とする制御方法。
【請求項１２】
少なくとも１つの受電装置に対して無線により電力を送電する送電装置の制御方法であって、
判定手段が、前記少なくとも１つの受電装置の少なくともいずれかの受電装置から、当該受電装置に過電圧が入力されないように送電電力を制御することの要求を受信したかを判定する判定工程と、
制御手段が、前記要求を受信した場合、前記要求を送信した受電装置に過電圧が入力されないように、送電電力を制御する制御工程と、
を有することを特徴とする制御方法。
【請求項１３】
無線により、送電装置から電力を受電する受電装置の制御方法であって、
判定手段が、前記送電装置が前記受電装置に過電圧が入力されないように送電電力を制御する機能を有するかを判定する判定工程と、
通知手段が、前記送電装置が前記機能を有さず、前記受電装置が受電によって得られる電圧を内部で下げる機能を有しない場合、エラーを通知する通知工程と、
を有することを特徴とする制御方法。
【請求項１４】
少なくとも１つの受電装置に対して無線により電力を送電する送電装置に備えられたコンピュータに、
前記少なくとも１つの受電装置のそれぞれが、受電によって得られる電圧を内部で下げる機能を有するかを判定する判定工程と、
前記少なくとも１つの受電装置の少なくともいずれかが前記機能を有しない場合、前記機能を有しない受電装置に過電圧が入力されないように、送電電力を制御する制御工程と、
を実行させるためのプログラム。
【請求項１５】
少なくとも１つの受電装置に対して無線により電力を送電する送電装置に備えられたコンピュータに、
前記少なくとも１つの受電装置の少なくともいずれかの受電装置から、当該受電装置に過電圧が入力されないように送電電力を制御することの要求を受信したかを判定する判定工程と、
前記要求を受信した場合、前記要求を送信した受電装置に過電圧が入力されないように、送電電力を制御する制御工程と、
を実行させるためのプログラム。
【請求項１６】
無線により、送電装置から電力を受電する受電装置に備えられたコンピュータに、
前記送電装置が前記受電装置に過電圧が入力されないように送電電力を制御する機能を有するかを判定する判定工程と、
前記送電装置が前記機能を有さず、前記受電装置が受電によって得られる電圧を内部で下げる機能を有しない場合、エラーを通知する通知工程と、
を実行させるためのプログラム。